(57)【要約】【課題】同一チャネルを使用している他のリーダ装置の送信波からの干渉を防ぐことができる無線周波数識別システムを得る。【解決手段】電力供給用信号を送信するリーダ装置１０１と、電力供給用信号の反射を用いて識別情報を含んだ応答信号を送信する一つまたは複数のタグ１０２とを備えた無線周波数識別システムにおいて、前記リーダ装置１０１は、前記電力供給信号を生成する際に所定の拡散符号を用いてスペクトラム拡散を施すスペクトラム拡散部２１４と、前記タグからの応答信号に対して前記拡散符号を用いてスペクトラム逆拡散を施すスペクトラム逆拡散部２０７とを備えた。また、拡散符号に対して所望の周波数で変調信号を生成する変調信号生成部と、タグからの応答信号を前記変調信号生成部より生成された前記変調信号とミキシングするためのミキサ部とを備える。【選択図】図２
2006340201.tif 000002
【特許請求の範囲】
【請求項１】
受信した電力供給用信号の反射を用いて識別情報を含んだ応答信号を送信する一つまたは複数のタグとともに無線周波数識別システムを構築するリーダ装置であって、
前記電力供給信号を送信する際に所定の拡散符号を用いてスペクトラム拡散を施すスペクトラム拡散手段と、前記応答信号に対して前記拡散符号を用いてスペクトラム逆拡散を施すスペクトラム逆拡散手段とを備えた
ことを特徴とするリーダ装置。
【請求項２】
受信した電力供給用信号の反射を用いて識別情報を含んだ応答信号を送信する一つまたは複数のタグとともに無線周波数識別システムを構築するリーダ装置であって、
前記電力供給用信号を送信する際に所定の拡散符号を用いてスペクトラム拡散およびスペクトラム逆拡散するために用いるものであって、前記拡散符号に対して所望の周波数で変調信号を生成する変調信号生成手段と、前記応答信号を前記変調信号生成手段より生成された前記変調信号とミキシングするためのミキサ手段とを備えた
ことを特徴とするリーダ装置。
【請求項３】
電力供給用信号を送信するリーダ装置と、前記電力供給用信号の反射を用いて識別情報を含んだ応答信号を送信する一つまたは複数のタグとを備えた無線周波数識別システムにおいて、
前記リーダ装置は、前記電力供給信号を生成する際に所定の拡散符号を用いてスペクトラム拡散を施すスペクトラム拡散手段と、前記タグからの応答信号に対して前記拡散符号を用いてスペクトラム逆拡散を施すスペクトラム逆拡散手段とを備えた
ことを特徴とする無線周波数識別システム。
【請求項４】
電力供給用信号を送信するリーダ装置と、前記電力供給用信号の反射を用いて識別情報を含んだ応答信号を送信する一つまたは複数のタグとを備えた無線周波数識別システムにおいて、
前記リーダ装置は、前記電力供給用信号を所定の拡散符号を用いてスペクトラム拡散およびスペクトラム逆拡散するために用いるものであって、前記拡散符号に対して所望の周波数で変調信号を生成する変調信号生成手段と、前記タグからの応答信号を前記変調信号生成手段より生成された前記変調信号とミキシングするためのミキサ手段とを備えた
ことを特徴とする無線周波数識別システム。
【発明の詳細な説明】
【技術分野】
【０００１】
この発明は、物品の識別や追跡のために使用されているリーダ装置及び無線周波数識別システムに関するものである。
【背景技術】
【０００２】
無線周波数識別（Radio Frequency Identification：以下ＲＦＩＤと称す）システムは、物品の識別や追跡のために使用されている。ＲＦＩＤシステムは、リーダ装置と呼ばれる無線送受信機とタグとよばれる物品に付設された比較的安価な装置との間で通信する無線通信システムである。タグは、リーダ装置からの問い合わせ信号（コマンド信号）に対して、識別情報を含む応答信号（レスポンス信号）の送信を行う。リーダ装置は、コマンド信号をタグへ送信した後、タグへの電力供給用信号である連続波（ＣＷ）無線信号を前記コマンド信号とタグへ送信する。タグは、反射によってそのＣＷ信号を用いて応答情報に対して振幅変調を施しリーダ装置にレスポンス信号を送信する。
【０００３】
そのため、リーダ装置は、タグにコマンド信号および電力供給用信号であるＣＷ信号を送る送信手段とタグからのレスポンス信号をうける受信手段と、レスポンス信号内のデータから識別情報を分析する信号分析手段を備えており、タグは、コマンド信号を受信する受信手段と、コマンド信号を分析する信号分析手段と、レスポンス信号を送信する送信手段と、識別情報を保持している記憶手段とを備えている。
【０００４】
ＲＦＩＤシステムは、通信を行うエリア内には複数の同一チャネルを使用する装置がないことが前提である。そのため、同一チャネルを使用しているリーダ装置およびタグの信号が干渉する。干渉を回避する方法として、リーダ装置からの呼びかけに対して同一チャネルを使用している複数のタグのレスポンス信号の干渉を避けるために、応答信号の送信タイミングを異ならせることによってタグからのレスポンス信号が互いに干渉してしまう問題を回避するものがある（例えば、特許文献１参照）。
【０００５】
【特許文献１】特開平４−３１５０８１号公報
【発明の開示】
【発明が解決しようとする課題】
【０００６】
上述した方法では、所望のタグのレスポンス信号に対して同一チャネルを使用するタグのレスポンス信号の干渉を回避することができるが、同一チャネルを使用している他のリーダ装置の送信波と干渉してしまう問題が残されている。一般的に、リーダ装置は送信電力が大きいので干渉距離が大きく、タグはリーダ装置からの電力供給用信号を受信してその反射によってリーダ装置にレスポンス信号を送信するため送信電力が小さい。そのため、同一チャネルを使用する他のリーダ装置からの信号が干渉しないためには、同一チャネルを使用するリーダ装置間の離隔距離が十数ｋｍ以上必要とされ、十分な離隔距離を確保して通信を行う場合は同時に使用できるチャネル数が少なくなるという問題が生じる。
【０００７】
この発明は上記のような問題点を解決するためになされたもので、同一チャネルを使用している他のリーダ装置の送信波からの干渉を防ぐことができるリーダ装置及び無線周波数識別システムを得ることを目的とするものである。
【課題を解決するための手段】
【０００８】
この発明に係るリーダ装置は、受信した電力供給用信号の反射を用いて識別情報を含んだ応答信号を送信する一つまたは複数のタグとともに無線周波数識別システムを構築するリーダ装置であって、前記電力供給信号を送信する際に所定の拡散符号を用いてスペクトラム拡散を施すスペクトラム拡散手段と、前記応答信号に対して前記拡散符号を用いてスペクトラム逆拡散を施すスペクトラム逆拡散手段とを備えたことを特徴とする。
【０００９】
また、受信した電力供給用信号の反射を用いて識別情報を含んだ応答信号を送信する一つまたは複数のタグとともに無線周波数識別システムを構築するリーダ装置であって、前記電力供給用信号を送信する際に所定の拡散符号を用いてスペクトラム拡散およびスペクトラム逆拡散するために用いるものであって、前記拡散符号に対して所望の周波数で変調信号を生成する変調信号生成手段と、前記応答信号を前記変調信号生成手段より生成された前記変調信号とミキシングするためのミキサ手段とを備えたことを特徴とする。
【００１０】
また、この発明に係る無線周波数識別システムは、電力供給用信号を送信するリーダ装置と、前記電力供給用信号の反射を用いて識別情報を含んだ応答信号を送信する一つまたは複数のタグとを備えた無線周波数識別システムにおいて、前記リーダ装置は、前記電力供給信号を生成する際に所定の拡散符号を用いてスペクトラム拡散を施すスペクトラム拡散手段と、前記タグからの応答信号に対して前記拡散符号を用いてスペクトラム逆拡散を施すスペクトラム逆拡散手段とを備えたことを特徴とする。
【００１１】
また、電力供給用信号を送信するリーダ装置と、前記電力供給用信号の反射を用いて識別情報を含んだ応答信号を送信する一つまたは複数のタグとを備えた無線周波数識別システムにおいて、前記リーダ装置は、前記電力供給用信号を所定の拡散符号を用いてスペクトラム拡散およびスペクトラム逆拡散するために用いるものであって、前記拡散符号に対して所望の周波数で変調信号を生成する変調信号生成手段と、前記タグからの応答信号を前記変調信号生成手段より生成された前記変調信号とミキシングするためのミキサ手段とを備えたことを特徴とする。
【発明の効果】
【００１２】
この発明によれば、他のリーダ装置が同一チャネルを使用していても他のリーダ装置の送信波は無拡散または他の拡散符号によってスペクトラム拡散された信号のため、他のリーダ装置が送信する干渉波は所望のタグからのレスポンス信号と無相関となり所望のレスポンス信号のみの識別情報の取得が可能となる。つまり、同一チャネルを使用するリーダ装置からの送信波による干渉をうけずに通信を行うことができ、同時に使用することができるチャネル数を増やすことが可能となる。
【発明を実施するための最良の形態】
【００１３】
実施の形態１．
この発明の実施の形態１について図面を参照して説明する。
図１は、この発明の実施の形態１に係るＲＦＩＤシステムの構成を示すブロック図である。図１に示すように、本実施の形態１に係るＲＦＩＤシステムは、リーダ装置１０１が１つまたは複数のタグ１０２（１０２−１，１０２−２，・・・、１０２−ｎを総称する）が保持する固有の識別情報を読み出すものである。リーダ装置１０１には必要に応じて管理装置１０３が接続されている。また、リーダ装置１０１と同一チャネルを使用してある離隔距離をおいて通信を行うリーダ装置１０４があり、１つまたは複数のタグ１０５（１０５−１，１０５−２，・・・、１０５−ｎを総称する）と同様に通信を行っており、必要に応じて管理装置１０６が接続されている。
【００１４】
リーダ装置１０１は、タグに対して指示を示したコマンド信号を送信する。タグ１０２は、固有の情報を含む識別情報を内部に保持しており、リーダ装置１０１からの指示に応じて前記識別情報の少なくとも一部を示すレスポンス信号をリーダ装置１０１に送信する。その際、リーダ装置１０１は、タグ１０２がレスポンス信号を送信するために用いる電力供給用信号であるＣＷ信号を送信しており、タグ１０２は、リーダ装置１０１からの電力供給用信号の反射を用いて、識別情報が含まれたレスポンス信号を送信する。管理装置１０３は、リーダ装置１０１により読み取られた情報を受け取り、タグ１０２自体またはタグ１０２が取り付けられた物品等に関する情報処理および管理を行う。
【００１５】
図２は、本実施の形態１に係るリーダ装置１０１の構成を示すブロック図である。
リーダ装置１０１は、図２に示すように、タグ１０２に対して与える各種の情報を含んだコマンド信号およびタグへの電力供給用信号を生成する信号生成部２０１と、信号生成部２０１より生成された信号を無線伝送が可能な信号に変換する変調部２０２と、変調部２０２の出力信号を電力増幅する送信信号増幅部２０３と、送信信号増幅部２０３の出力の信号をタグに向けて送信し、またタグからのレスポンス信号を受信するためのアンテナ部２０４と、アンテナ部２０４より受信されたレスポンス信号を増幅する受信信号増幅部２０５と、受信信号増幅部２０５の出力信号をベースバンド信号に変換する復調部２０６と、復調部２０６の出力信号を所定の拡散符号によってスペクトラム逆拡散を行うスペクトラム逆拡散部２０７と、スペクトラム逆拡散部２０７出力の信号を分析しその信号に含まれた各種の情報を判定する信号分析部２０８と、管理装置１０３が接続され管理装置１０３から与えられる指示や情報の読み込みや管理装置１０３への情報を出力する外部インターフェース部２０９と、リーダ装置各部の制御を行うリーダ装置制御部２１０とを有している。
【００１６】
ここで、リーダ装置制御部２１０は、タグ１０２に対してレスポンス信号の送信を要求するためのコマンド信号および送信に係わる制御を行うコマンド信号送信制御手段２１１と、タグへの電力供給用信号生成における拡散符号生成など電力供給用信号生成および送信に関わる制御を行う電力供給用信号送信制御手段２１２と、レスポンス信号を受信しスペクトラム逆拡散部２０７におけるスペクトラム逆拡散に係わる制御と信号分析部２０８から与えられる各種の情報中の識別情報を読み込むレスポンス信号受信制御手段２１３とから成っている。また、信号生成部２０１は、電力供給用信号生成の際にスペクトラム拡散を施すスペクトラム拡散部２１４を備えている。
【００１７】
図３は、本実施の形態１に係るタグ１０２の構成を示すブロック図である。
タグ１０２は、図３に示すように、リーダ装置１０１に対してレスポンス信号を送信するための応答情報を生成する信号生成部３０１と、信号生成部３０１の出力信号を無線伝送可能の信号に変換する変調部３０２と、変調部３０２の出力信号をリーダ装置１０１に送信し、リーダ装置１０１からのコマンド信号および電力供給用信号を受信するためのアンテナ部３０３と、アンテナ部３０３から出力されるコマンド信号をベースバンド信号に変換する復調部３０４と、復調部３０４の出力の信号を分析しその信号に含まれる信号の情報を判定する信号分析部３０５と、タグ各部を制御するタグ制御部３０６と、タグの識別情報を記憶している記憶部３０７とを有している。
【００１８】
ここで、タグ制御部３０６は、コマンド信号の受信を制御するコマンド信号受信制御手段３０８と、レスポンス信号の送信を制御するレスポンス信号送信制御手段３０９とから成っている。
【００１９】
次に動作について説明する。なお、ここでは、電力供給用信号生成の際、リーダ装置１０１に拡散符号Ａが割り当てられており、リーダ装置１０４に拡散符号Ｂが割り当てられているものとする。
【００２０】
図４に示すように、まず、リーダ装置１０１は、タグ１０２へコマンド信号を送信する。続いて、リーダ装置１０１は、タグ１０２に対して電力供給用信号を送信する。タグ１０２は、リーダ装置１０１からの電力供給用信号の反射を用いて応答情報に対して振幅変調を施しレスポンス信号の送信を行う。
【００２１】
続いて、本実施の形態１に係るリーダ装置１０１およびタグ１０２の各部の動作について説明する。
まず、リーダ装置１０１において、リーダ装置制御部２１０は、タグへの指示を示したコマンド信号を作成するように信号生成部２０１を制御し、信号生成部２０１は、コマンド信号を生成する。この時、スペクトラム拡散部２１４は動作させずパスする。続いて、信号生成部２０１より作成されたコマンド信号を変調部２０２によって無線伝送可能な信号に変調し、送信信号増幅部２０３において信号を増幅し、アンテナ部２０４より送信される。これらの一連の制御は、リーダ装置制御部２１０内のコマンド信号送信制御手段２１１によって制御される。
【００２２】
タグ１０２は、アンテナ部３０３において、リーダ装置１０１より送信されたコマンド信号を受信し、復調部３０４においてベースバンド信号に変換する。変換された信号は、信号分析部３０５において分析され、受信された信号がコマンド信号だと認識され、タグ制御部３０６へ伝えられる。これら一連の制御は、コマンド信号受信制御手段３０８によって制御される。
【００２３】
タグ制御部３０６内のレスポンス信号送信制御手段２０９は、受信したコマンド信号の内容をうけ、記憶部３０７から識別情報を読み出し、信号生成部３０１において識別情報を用いてレスポンス信号送信のための応答情報を生成するように指示する。
【００２４】
リーダ装置１０１において、コマンド信号の送信後、リーダ装置制御部２１０内の電力供給用信号送信制御手段２１２は、タグ１０２への電力供給用信号を生成するように信号生成部２０１を制御する。これに基づき、信号生成部２０１は、電力供給用信号を生成するために、信号生成部２０１内のスペクトラム拡散部２１４にて割り当てられた拡散符号Ａを生成する。このとき、あらかじめ保存された複数の拡散符号のうち割り当てられた拡散符号Ａを読み出してもよい。信号生成部２０１は、スペクトル拡散部２１４において電力供給用信号を生成する。生成された電力供給用信号は、変調部２０２によって無線伝送可能な信号に変調し、送信信号増幅部２０３によって信号を増幅し、アンテナ部２０４より送信される。これら一連の制御は、リーダ装置制御部２１０内の電力供給用信号送信制御手段２１２によって制御される。
【００２５】
タグ１０２は、電力供給用信号をアンテナ部３０３にて受信する。受信した電力供給用信号は変調部３０２へと伝えられる。信号生成部３０１において生成された応答情報は、変調部３０２において受信した電力供給用信号を用いて無線伝送可能の信号に変調する。変調された信号は、レスポンス信号としてアンテナ部３０３よりリーダ装置１０１に送信される。これらの一連の制御は、タグ制御部３０６内のレスポンス信号送信制御手段３０９によって制御される。
【００２６】
リーダ装置１０１は、タグ１０２からのレスポンス信号をアンテナ部２０４において受信する。受信されたレスポンス信号は、受信信号増幅部２０５において増幅され、復調部２０６においてベースバンド信号に変換される。ベースバンド信号に変換された信号は、スペクトラム逆拡散部２０７に入力し、先の電力供給用信号を生成した際の拡散符号Ａによってスペクトラム逆拡散が施される。このとき、電力供給用信号を生成した際と同一の拡散符号によってのスペクトラム逆拡散が施されてレスポンス信号が生成される。一方、同一の拡散符号によってスペクトラム逆拡散が施されていない信号は生成されない。スペクトラム逆拡散が施された信号は、信号分析部２０８に入力し、応答情報だと認識される。認識された応答情報は、リーダ制御部２１０において必要な識別情報を読み取られ、外部インターフェース部２０９を経て管理装置１０３などにタグの固有の情報が伝えられる。これら一連の制御は、リーダ制御部２１０内のレスポンス信号受信制御手段２１３において制御される。
【００２７】
リーダ装置１０１が送信する電力供給用信号、タグ１０２が送信するレスポンス信号、リーダ装置１０１が受信したレスポンス信号の処理における各データに関して図５を用いて説明する。なお、図５において、搬送波波形は図示せず省略している。
リーダ装置１０１は、所定の拡散符号長の拡散符号Ａを用いて信号生成部２０１内のスペクトラム拡散部２１４においてスペクトラム拡散した電力供給用信号を送信する（図５（ａ）参照）。電力供給用信号を受信したタグ１０２は、記憶部３０７から読み出した識別情報をもとに信号生成部３０１においてシンボル長に応じた応答情報を生成する（図５（ｂ）参照）。タグ１０２は、受信したリーダ装置１０１からの電力供給用信号を用いて変調部３０２において応答情報に対して振幅変調を施しレスポンス信号としてリーダ装置１０１に送信する（図５（ｃ）参照）。レスポンス信号を受信したリーダ装置１０１は、復調部２０６において復調処理の後、スペクトラム逆拡散部２０７において拡散符号Ａを用いてスペクトラム逆拡散を施し応答情報データを再生する。このように、電力供給用信号を生成した際と同一の拡散符号Ａを用いてスペクトラム逆拡散を施すため、応答情報データは再生される（図５（ｄ）、（ｅ）参照）。
【００２８】
続いて、リーダ装置１０４が送信するコマンド信号がリーダ装置１０１に受信された場合のデータ処理について図６を用いて説明する。なお、図６において、搬送波波形は図示せず省略している。
リーダ装置１０４は、あるシンボル長の無拡散のコマンド信号を送信する（図６（ａ）参照）。リーダ装置１０４が送信したコマンド信号を誤って受信したリーダ装置１０１は、復調部２０６において復調処理の後、スペクトラム逆拡散部２０７において拡散符号Ａを用いてスペクトラム逆拡散を施す。このとき、受信したコマンド信号は無拡散信号であり、無拡散信号と拡散符号Ａは無相関の関係のため、リーダ装置１０１のスペクトラム逆拡散部２０７においてスペクトラム逆拡散が施されてもスペクトラム逆拡散部２０７の出力において信号は再生されない（図６（ｂ）、（ｃ）参照）。
【００２９】
同様に、リーダ装置１０４が送信する電力供給用信号がリーダ装置１０１に受信された場合のデータ処理について図７を用いて説明する。なお、図７において、搬送波波形は図示せず省略している。
リーダ装置１０４は、所定の拡散符号長の拡散符号Ｂを用いてスペクトラム拡散した電力供給用信号を送信する（図７（ａ）参照）。リーダ装置１０４が送信した電力供給用信号を誤って受信したリーダ装置１０１は、復調部２０６において復調処理の後、スペクトラム逆拡散部２０７において拡散符号Ａを用いてスペクトラム逆拡散を施す。このとき、受信した電力供給用信号は拡散符号Ｂで拡散されている信号であり、拡散符号Ａと拡散符号Ｂは無相関の関係のため、リーダ装置１０１のスペクトラム逆拡散部２０７においてスペクトラム逆拡散が施されてもスペクトラム逆拡散部２０７の出力において信号は再生されない（図６（ｂ）、（ｃ）参照）。
【００３０】
従って、実施の形態１によれば、リーダ装置１０４がリーダ装置１０１と同一チャネルを使用して通信していても、リーダ装置１０１は拡散符号Ａを用いているのに対し、リーダ装置１０４は別の拡散符号Ｂを採用しているため、リーダ装置１０１がタグ１０２と通信を行う際、同時刻にリーダ装置１０４がコマンド信号または電力供給用信号をタグ１０５に向かって送信し、誤ってリーダ装置１０１がアンテナ部２０４においてタグ１０２のレスポンス信号とともにリーダ装置１０４が送信するコマンド信号または電力供給用信号を受信しても、リーダ装置１０４が送信したコマンド信号または電力供給用信号は無拡散または拡散符号Ｂを用いて拡散された信号のため、スペクトラム逆拡散部２０７では所望のタグ１０２が送信したレスポンス信号に含まれる応答情報のみが再生される。
このことにより、同一チャネルを使用する他のリーダ装置からの干渉を受けることもなく通信を行うことができる。
【００３１】
また、リーダ装置がそれぞれ拡散符号で拡散された電力供給用信号を送信することにより、リーダ装置に比べ多数使用されるタグの構成を従来のものと変更することなく外部からの雑音に対する耐性を高めることができる。
【００３２】
なお、本実施の形態１は、拡散符号の生成をスペクトラム拡散部２１４にて生成もしくは保持するとしたが、リーダ装置制御部２１０内にて生成もしくは保持し、スペクトラム拡散時に読み出すことも可能である。
【００３３】
実施の形態２．
上述した実施の形態１では、リーダ装置が所定の拡散符号においてスペクトラム拡散を施した電力供給信号を送信し、タグからのレスポンス信号に対してスペクトラム逆拡散を施すことによって所望のタグからの信号のみを再生する無線周波数識別システムについて述べたが、次に、実施の形態１のＲＦＩＤシステムを用いた場合において、高分解能のアナログディジタル変換器を必要としないリーダ装置の実施の形態を示す。
【００３４】
まずは、図８に実施の形態１を実施した場合のリーダ装置１０１の復調部２０６の一般的な構成を示す。ただし、図８に示す構成は、リーダ装置１０１が送信する電力供給用信号は所定の拡散符号に対して位相変調が施されたデータであり、タグ１０２が送信するレスポンス信号は上記位相変調信号に対して応答情報によって振幅変調が施されたデータであることを前提としている。
【００３５】
図８に示す復調部２０６は、リーダ装置１０１が受信したレスポンス信号に対し受信信号増幅部２０５の出力信号を同相ベースバンド信号と直交ベースバンド信号に変換する直交復調部８０１と、直交復調の際に用いられるＣＷ信号を発振する局部発振部８０２と、直交復調部８０１の出力信号に対して自帯域外の雑音を濾波するための低域通過フィルタ８０３、８０４と、低域通過フィルタ８０３、８０４の出力信号をディジタル信号に変換するためのアナログディジタル変換部（ＡＤＣ）８０５、８０６にて構成されている。
【００３６】
次に、図８に示す構成を備えた復調部の場合に生じる問題点について述べる。
一般的に、リーダ装置１０１の受信部に対してリーダ装置１０１の送信波の回り込みを防ぐために、通常、アンテナ部２０４内などにサーキュレータなどが用いられる。前記サーキュレータによるリーダ装置１０１の受信部に対して回りこむ送信波の減衰量は約４０ｄＢ程度である。一般的に、リーダ装置１０１のアンテナ部２０４における送信電力は３０ｄＢｍであり、タグ１０２からの受信電力は−５０ｄＢｍ程度である。このとき、リーダ装置１０１の送信波がサーキュレータを経てリーダ装置１０１の受信部へ回りこむ電力は−１０ｄＢｍ程度となり、リーダ装置１０１の受信部に入力される信号のうち、タグ１０２からの受信電力よりもリーダ装置１０１の送信波の回りこみの電力の方が大きい。
【００３７】
このような場合、図８に示す復調部の構成では、ＡＤＣ８０５、８０６に入力される電力のうちリーダ装置１０１の受信部に回りこんだリーダ装置１０１の送信波が大部分を占める。このため、ＡＤＣ８０５、８０６はタグ１０２からの受信信号のみを再生するために必要な分解能によりもさらに多くの分解能が必要となり、ＡＤＣ８０５、８０６の所要分解能が大きくなるという問題が生じる。
【００３８】
本実施の形態２では、上記の問題を解決するためのＲＦＩＤシステムに用いるリーダ装置について示す。
図９は、本実施の形態２に係るリーダ装置１０１の構成を示すブロック図である。
図９おいて、リーダ装置１０１は、タグ１０２に対して与える各種の情報を含んだコマンド信号を生成するコマンド信号生成部９０１と、コマンド信号生成部９０１より生成された信号を無線伝送が可能な信号に変換するコマンド信号変調部９０２と、電力供給用信号生成のために所定の拡散符号によって位相変調信号の生成を行う位相変調信号生成部９０３と、位相変調信号生成部９０３における位相変調の際に用いられ、コマンド信号変調部９０２におけるコマンド信号変調の際に用いられるＣＷを発振する局部発振部９０４と、コマンド信号変調部９０２の出力信号または位相変調信号生成部９０３の出力信号を電力増幅する送信信号増幅部９０５と、送信信号増幅部９０５の出力の信号をタグに向けて送信し、またタグからのレスポンス信号を受信するためのアンテナ部９０６と、アンテナ部９０６より受信されたレスポンス信号を増幅する受信信号増幅部９０７と、受信信号増幅部９０７の出力信号を位相変調信号生成部９０３の出力信号とミキシングするためのミキサ部９０８と、ミキサ部９０８の出力信号に対して送信部から回りこんだ送信波を減衰するための高域通過フィルタ９０９と、高域通過フィルタ９０９の出力信号に対して応答情報を得るために信号変換を行うリミッタ９１０と、リミッタ９１０の出力の信号を分析しその信号に含まれた各種の情報を判定する信号分析部９１１と、管理装置１０３が接続され管理装置１０３から与えられる指示や情報の読み込みや管理装置１０３へ情報を出力する外部インターフェース部９１２と、リーダ装置各部の制御を行うリーダ装置制御部９１３とを有している。
【００３９】
ここで、リーダ装置制御部９１３は、タグ１０２に対してレスポンス信号の送信を要求するためのコマンド信号生成および送信に係わる制御を行うコマンド信号送信制御手段９１４と、タグへの電力供給用信号生成および送信に係わる制御を行う電力供給用信号送信制御手段９１５と、レスポンス信号の受信に関わる制御と信号分析部から与えられる各種の情報中の識別情報を読み込むレスポンス信号受信制御手段９１６と、所定の拡散符号を生成または内部に保持しており、位相変調信号生成部９０４へ所定拡散符号を出力するための拡散符号保持手段９１７とから成っている。
【００４０】
次に、本実施の形態２に係るリーダ装置１０１の動作について説明する。なお、ここでは、電力供給用信号生成の際、リーダ装置１０１に拡散符号Ａが割り当てられており、リーダ装置１０４に拡散符号Ｂが割り当てられているものとする。
【００４１】
まず、リーダ装置１０１において、リーダ装置制御部９１３内のコマンド信号送信制御手段９１４は、タグへの指示を示したコマンド信号を作成するようにコマンド信号生成部９０１を制御し、コマンド信号生成部９０１は、コマンド信号を生成する。続いて、コマンド信号生成部９０１より生成されたコマンド信号をコマンド信号変調部９０２において局部発振部９０４が出力する所定の周波数のＣＷを用いて無線伝送可能な信号に変調する。コマンド信号変調部９０２の出力信号は、送信信号増幅部９０５において増幅され、アンテナ部９０６よりコマンド信号として送信される。これらの一連の制御は、リーダ装置制御部９１３内のコマンド信号送信制御手段９１４によって制御される。このとき、位相変調信号生成部９０３は動作しない。
【００４２】
タグ１０２は、実施の形態１と同様の動作を行い、リーダ装置１０１から受信したコマンド信号を処理しコマンド信号の内容はタグ制御部３０６へ伝えられる。タグ制御部３０６は受信したコマンド信号の内容に従って信号生成部３０１に対してレスポンス信号送信のための応答情報を生成するように指示する。
【００４３】
リーダ装置１０１がコマンド信号送信の後、リーダ装置制御部９１３内の電力供給用信号送信制御手段９１５は、タグ１０２への電力供給用信号を生成するようにリーダ装置制御部９１３内の拡散符号保持手段９１７および位相変調信号生成部９０３を制御する。拡散符号保持手段９１７は、所定の拡散符号Ａを生成もしくは保持しており、位相変調信号生成部９０３が拡散符号Ａを用いて位相変調信号生成を行うために位相変調信号生成部９０３に拡散符号データを出力する。電力供給用信号送信制御手段９１５は、所定の周波数のＣＷを発振するように局部発振部９０４を制御し、局部発振部９０４は、制御された周波数のＣＷを発振する。位相変調信号生成部９０３は、拡散符号保持手段９１７より入力された拡散符号Ａのデータと局部発振部９０４より発振されたＣＷを用いて位相変調を施し位相変調信号の生成を行う。ここで、生成された信号は、実施の形態１において変調部２０２が生成した電力供給用信号と同等である。生成された位相変調信号は、送信信号増幅部９０５によって信号を増幅され、電力供給用信号としてアンテナ部９０６より送信される。このとき、コマンド信号生成部９０１とコマンド信号変調部９０２は動作していない。
【００４４】
タグ１０２は、リーダ装置１０１からの電力供給用信号を受信し、実施の形態１と同様の処理を行ってレスポンス信号を生成し、レスポンス信号をリーダ装置１０１に送信する。
【００４５】
リーダ装置１０１は、タグ１０２からのレスポンス信号をアンテナ部９０６において受信する。受信されたレスポンス信号は、受信信号増幅部９０７において増幅される。このとき、リーダ装置１０１の送信部から回りこんだ送信波も一緒に受信信号増幅部９０７によって増幅される。受信信号増幅部９０７の出力信号は、ミキサ部９０８において位相変調信号生成部９０３で生成された位相変調信号を用いてミキシングされる。この処理により、レスポンス信号は所定の拡散符号Ａを用いてスペクトラム逆拡散処理が行われたことと同等となる。ミキサ部９０８の出力信号は、高域通過フィルタ９０９に入力し、リーダ装置１０１の送信部から回りこんだ送信波成分を減衰するために、高域通過フィルタ９０９によってＤＣ除去される。高域通過フィルタ９０９の出力信号を識別情報が分析可能な信号に変換するためにリミッタ９１０に入力しリミッタ処理がなされる。リミッタ処理がなされた信号は、信号分析部９１１に入力し、応答情報だと認識される。認識された応答情報は、リーダ装置制御部９１３において必要な識別情報を読み取られ、外部インターフェース部９１２を経て管理装置１０３などにタグの固有の情報が伝えられる。これら一連の制御は、リーダ装置制御部９１３内のレスポンス信号受信制御手段９１６において制御される。
【００４６】
従って、実施の形態２によれば、リーダ装置１０１は高分解能のＡＤＣを用いることなく所定の拡散符号Ａを用いた電力供給用信号を生成し、タグ１０２への送信が可能となり、タグ１０２から受信されるレスポンス信号に対して所定の拡散符号Ａを用いてスペクトラム逆拡散を施し、同一チャネルを使用している他のリーダ装置からの干渉をうけることなく、所望のタグの識別情報を取得することができる。これにより、タグの構成を従来のものと変更することなく外部からの雑音に対する耐性を高めることができる。
【００４７】
なお、本実施の形態２では、リーダ装置１０１の送信部からの回りこみの送信波を減衰するために高域通過フィルタ９０９を用いているが、リーダ装置１０１の送信部からの回りこみの送信波を減衰できる手段であるなら他の手段を用いてもよい。
【００４８】
また、本実施の形態２では、コマンド信号および電力供給用信号の信号生成および変調部を、コマンド信号生成部９０１、コマンド信号変調部９０２、位相変調信号生成部９０３、局部発振部９０４としているが、上記の処理をコマンド信号生成および拡散符号を位相情報に変換することができる信号生成部と所望の周波数に無線伝送可能な信号に変換する変調部として行ってもよい。
【図面の簡単な説明】
【００４９】
【図１】この発明の実施の形態１に係るＲＦＩＤシステムの構成を示すブロック図である。
【図２】この発明の実施の形態１に係るリーダ装置１０１の構成を示すブロック図である。
【図３】この発明の実施の形態１に係るタグ１０２の構成を示すブロック図である。
【図４】この発明の実施の形態１におけるリーダ装置１０１とタグ１０２の送信信号の説明図である。
【図５】この発明の実施の形態１におけるリーダ装置１０１が送信する電力供給用信号、タグ１０２が送信するレスポンス信号、リーダ装置１０１が受信したレスポンス信号の処理における各データの説明図である。
【図６】この発明の実施の形態１におけるリーダ装置１０４が送信するコマンド信号がリーダ装置１０１に受信された場合のデータ処理についての説明図である。
【図７】この発明の実施の形態１におけるリーダ装置１０４が送信する電力供給用信号がリーダ装置１０１に受信された場合のデータ処理についての説明図である。
【図８】この発明の実施の形態１を実施した場合のリーダ装置１０１の復調部２０６の一般的な構成を示すブロック図である。
【図９】この発明の実施の形態２に係るリーダ装置１０１の構成を示すブロック図である。
【符号の説明】
【００５０】
１０１，１０４  リーダ装置、１０２，１０５  タグ、１０３，１０６  管理装置、２０１  信号生成部、２０２  変調部、２０３  送信信号増幅部、２０４  アンテナ部、２０５  受信信号増幅部、２０６  復調部、２０７  スペクトラム逆拡散部、２０８  信号分析部、２０９  外部インターフェース部、２１０  リーダ装置制御部、２１１  コマンド信号送信制御手段、２１２  電力供給用信号送信制御手段、２１３  レスポンス信号受信制御手段、２１４  スペクトラム拡散部、３０１  信号生成部、３０２  変調部、３０３  アンテナ部、３０４  復調部、３０５  信号分析部、３０６  タグ制御部、３０７  記憶部、３０８  コマンド信号受信制御手段、３０９  レスポンス信号送信制御手段、８０１  直交復調部、８０２  局部発振部、８０３，８０４  低域通過フィルタ、８０５，８０６  ＡＤＣ、９０１  コマンド信号生成部、９０２  コマンド信号変調部、９０３  位相変調信号生成部、９０４  局部発振器、９０５  送信信号増幅部、９０６  アンテナ部、９０７  受信信号増幅部、９０８  ミキサ部、９０９  高域通過フィルタ、９１０  リミッタ、９１１  信号分析部、９１２  外部インターフェース部、９１３  リーダ装置制御部、９１４  コマンド信号送信制御手段、９１５  電力供給用信号送信制御手段、９１６  レスポンス信号受信制御手段、９１７  拡散符号保持手段。
【図１】
2006340201.tif 000003
【図２】
2006340201.tif 000004
【図３】
2006340201.tif 000005
【図４】
2006340201.tif 000006
【図５】
2006340201.tif 000007
【図６】
2006340201.tif 000008
【図７】
2006340201.tif 000009
【図８】
2006340201.tif 000010
【図９】
2006340201.tif 000011